(57)【要約】【課題】  コンピューターのキーボード操作時や事務作業中に、すぐ使えるようにペンを指の近くに用意しておくためのペン保持具を提供する。【解決手段】  人差し指に固定する部材（１）にペンを保持する部分（２）を設け、ペン（３）が脱着できるようにする。  また、ペンを保持する部分（２）に磁石（４）を設け、ペン（３）に磁石に吸い付く部分（５）を設ける。加えて、指に固定する部材（１）にペンを引っ掛ける部材（６）を設けることにより、ペンを手につけたまま作業できることを特徴とする。【選択図】      図１
2005231338.tif 000002
【特許請求の範囲】
【請求項１】
人差し指に固定する部材（１）にペンを保持する部分（２）を設け、ペン（３）が脱着できるようにした、指に付けるペン保持具
【請求項２】
ペンを保持する部分（２）に磁石（４）を設け、ペン（３）に磁石に吸い付く部分（５）を設けた、請求項１の指に付けるペン保持具
【請求項３】
人差し指に固定する部材（１）にペンを引っ掛ける部材（６）を設けた請求項１の指につけるペン保持具
【発明の詳細な説明】
【発明の詳細な説明】
【技術分野】
【０００１】  この発明は、コンピュータのキーボード操作時や事務作業時にペンを指の近くに保持しておくための指に付けるペン保持具に関する物である。
【背景技術】
【０００２】  従来、コンピュータのキーボードを操作しながら書類に文字を記入するには、ペンを持ち書いている状態からペンを手放しキーボードを操作し、再度ペンを持ち書く行為を繰り返さねばならならなかった。
ペンを持ちながらキーボードを両手で操作する人もいたが、ほとんどの人はキーボードとペンを一度手放して持ち替えながら使っていた。また片手でキーボードを操作し、もう片方の手でペンを使うこともできたが、作業速度は遅かったし、楽ではなかった。
指先に小さなペンを付ければ手放さなくとも作業できるが、ペンの柄が手の甲に当たらないため、指先だけで支えなければならず、不安定となり書きにくかった。
【発明が解決しようとする課題】
【０００３】  そのために、次のような欠点があった。
（イ）何度もペンを持ち直すことは煩わしく苦痛であったし、能率も悪かった。
（ロ）筆記具を持ちながらキーボードを操作することは訓練と熟練を要し簡単にはできなかった。
（ハ）指先に付ける小さなペンは普通のペンより書きにくかった。
本発明は、これらの欠点を解決するためになされたものである。
【課題を解決するための手段】
【０００４】  人差し指に固定する部材（１）にペンを保持する部分（２）を設け、ペン（３）が脱着できるようにした、指に付けるペン保持具
以上の構成に加えて、ペンを保持する部分（２）に磁石（４）を設け、ペン（３）に磁石に吸い付く部分（５）を設けた、指に付けるペン保持具。
以上の構成に加えて、指に固定する部材（１）にペンを引っ掛ける部材（６）を設けた、指につけるペン保持具。
本発明は、上記の構成からなるペン保持具である。
【発明実施の形態】
【０００５】  以下、本発明の実施の形態について説明する。
（イ）人差し指に固定する部材（１）を設ける。
（ロ）人差し指に固定する部材（１）にペンを保持する部分（２）を設ける。
（ハ）ペンを保持する部分（２）に磁石（４）を設け、ペン（３）に磁石に吸い付く部分（５）を設ける。
（ニ）指に固定する部材（１）にペンを引っ掛ける部材（６）を設ける
本発明は以上のような構造でこれを使用するときは、（イ）（ロ）については次の通りである。
指先が自由に動かせる状態で、人差し指に装着できるようにした人指し指に固定する部材（１）を指に付け、ペンを持ち使用する。ペンが不要の時は親指でペンを動かしてペンを保持する部分（２）にペンを挟み込み保持する。ペンを使用するときは親指でペンを保持する部分（２）からペン（３）を外して使用する。
次に（ハ）に付いては以下の通りである。
ペンを保持する部分（２）に磁石（４）を設け、ペン（３）に磁石に吸い付く部分（５）を設ければ、ペン（３）をペンを保持する部分（２）に近付けるだけで保持できる。また挟む力で保持しないから、挟み込む力は不要となり、ペン（３）が扱いやすくなる
次に（ニ）に付いては以下の通りである。
指に固定する部材（１）にペンを引っ掛ける部分（６）を設ければ、親指でペン（３）をペンを保持する部分（２）から外してもペン（３）が引っ掛かって残るから、偶然ペンをぶつけても落とすことがなくなる。  またペン（３）の動きが拘束されて安定し、親指によるペン（３）の脱着操作が容易になる。
上記に加え、ペン（３）に磁石を設けペンを保持する部分（２）に磁石に吸い付く部材を設けても同じように機能するし、ペン（３）はペンのような形をした他の文房具や入力装置に替えても、同じように機能する。
【発明の効果】
【０００６】  ペンなどの筆記具は親指と人差し指と手の甲を使用して持つが、本発明においては持たなくても保持できる。このとき人指し指には本発明筆記具が付くが他の指は自由であるし、人指し指も指先は使えるから、キーボード操作や書類を扱うことは十分可能である。
筆記具を手に持っている状態から、人指し指につけた保持具に持たせるには親指だけの操作でできる。また保持具から筆器具を外して手に持つ操作も親指だけの操作でできるから、素早く快く作業することができる。
人差し指の親指側で手の甲側には保持具にペンが付いた状態の物があってもそれほど気にならないし、キーボード操作上や書類を扱う上でも邪魔になりにくい。
筆記具を持ったまま両手で書類を扱う人はたくさんいるがキーボードを操作できる人はほとんどいない。扱う人の器用性と訓練がなければ難しい。しかし本発明筆記具は誰でも筆記具を指に保持したままキーボードを扱うことができるし、訓練する必要も無くすぐに使える。
書類とコンピュータを同時に扱う場合、たとえばキーボードを操作しながらメモを取る時や小さな伝票をなん枚も記入する時、キーボードを両手で操作するには筆器具を手放し書類に記入のたびに筆器具を持ち直さなければならない。何度も手放し持ち直すことは煩わしい作業である。
筆記具を持ちもう片方でキーボードを操作すれば、利き手でない方の手でキーボードのキー全部を操作しなければならない。利き手でない手で多様な作業をすることは、時間がかかるしわずらわしい。しかし本発明筆記具を使用すれば煩わしさから開放されるし作業が簡単になる分能率も上がる。
【図面の簡単な説明】
【図１】    本発明の全体正面図
【図２】    本発明  請求項１の正面図
【図３】    本発明  請求項１の断面図
【図４】    本発明  請求項１及び請求項２の正面図
【図５】    本発明  請求項１及び請求項２のペン保持具  正面図
【図６】    本発明  請求項１及び請求項２のペン保持具  断面図
【図７】    本発明  請求項２のペン正面図
【図８】    本発明  請求項１及び請求項３の全体正面図
【図９】    本発明  請求項１及び請求項３のペン保持具  正面図
【図１０】    本発明  請求項１及び請求項３のペン保持具  断面図
【図１１】    本発明の平面図
【符号の説明】
（１）    人指し指に固定する部材
（２）    ペンを保持する部分
（３）    ペン
（４）    磁石
（５）    磁石に吸い付く部分
（６）    ペンを引っ掛ける部材
（７）    使用している状態のペン
（８）    人指し指
（９）    指を通す穴
（１０）  ペンを保持し引っ掛ける穴
【図１】
2005231338.tif 000003
【図２】
2005231338.tif 000004
【図３】
2005231338.tif 000005
【図４】
2005231338.tif 000006
【図５】
2005231338.tif 000007
【図６】
2005231338.tif 000008
【図７】
2005231338.tif 000009
【図８】
2005231338.tif 000010
【図９】
2005231338.tif 000011
【図１０】
2005231338.tif 000012
【手続補正書】
【提出日】平成16年5月10日(2004.5.10)
【手続補正１】
【補正対象書類名】明細書
【補正対象項目名】全文
【補正方法】変更
【補正の内容】
【発明の詳細な説明】
【技術分野】
【０００１】  この発明は、コンピュータのキーボード操作時や事務作業時にペンを指の近くに保持しておくための指に付けるペン保持具に関する物である。
【背景技術】
【０００２】  従来、コンピュータのキーボードを操作しながら書類に文字を記入するには、ペンを持ち書いている状態からペンを手放しキーボードを操作し、再度ペンを持ち書く行為を繰り返さねばならならなかった。
ペンを持ちながらキーボードを両手で操作する人もいたが、ほとんどの人はキーボードとペンを一度手放して持ち替えながら使っていた。また片手でキーボードを操作し、もう片方の手でペンを使うこともできたが、作業速度は遅かったし、楽ではなかった。
指先に小さなペンを付ければ手放さなくとも作業できるが、ペンの柄が手の甲に当たらないため、指先だけで支えなければならず、不安定となり書きにくかった。
【発明が解決しようとする課題】
【０００３】  そのために、次のような欠点があった。
（イ）  何度もペンを持ち直すことは煩わしく苦痛であったし、能率も悪かった。
（ロ）  筆記具を持ちながらキーボードを操作することは訓練と熟練を要し簡単にはできなかった。
（ハ）  指先に付ける小さなペンは普通のペンより書きにくかった。
本発明は、これらの欠点を解決するためになされたものである。
【課題を解決するための手段】
【０００４】  人差し指に固定する部材（１）にペンを保持する部分（２）を設け、ペン（３）が脱着できるようにした、指に付けるペン保持具
以上の構成に加えて、ペンを保持する部分（２）に磁石（４）を設け、ペン（３）に磁石に吸い付く部分（５）を設けた、指に付けるペン保持具。
以上の構成に加えて、指に固定する部材（１）にペンを引っ掛ける部材（６）を設けた、指につけるペン保持具。
本発明は、上記の構成からなるペン保持具である。
【発明実施の形態】
【０００５】  以下、本発明の実施の形態について説明する。
（イ）人差し指に固定する部材（１）を設ける。
（ロ）人差し指に固定する部材（１）にペンを保持する部分（２）を設ける。
（ハ）ペンを保持する部分（２）に磁石（４）を設け、ペン（３）に磁石に吸い付く部分（５）を設ける。
（ニ）指に固定する部材（１）にペンを引っ掛ける部材（６）を設ける
本発明は以上のような構造でこれを使用するときは、（イ）（ロ）については次の通りである。
指先が自由に動かせる状態で、人差し指に装着できるようにした人指し指に固定する部材（１）を指に付け、ペンを持ち使用する。ペンが不要の時は親指でペンを動かしてペンを保持する部分（２）にペンを挟み込み保持する。ペンを使用するときは親指でペンを保持する部分（２）からペン（３）を外して使用する。
次に（ハ）に付いては以下の通りである。
ペンを保持する部分（２）に磁石（４）を設け、ペン（３）に磁石に吸い付く部分（５）を設ければ、ペン（３）をペンを保持する部分（２）に近付けるだけで保持できる。また挟む力で保持しないから、挟み込む力は不要となり、ペン（３）が扱いやすくなる
次に（ニ）に付いては以下の通りである。
指に固定する部材（１）にペンを引っ掛ける部分（６）を設ければ、親指でペン（３）をペンを保持する部分（２）から外してもペン（３）が引っ掛かって残るから、偶然ペンをぶつけても落とすことがなくなる。またペン（３）の動きが拘束されて安定し、親指によるペン（３）の脱着操作が容易になる。
上記に加え、ペン（３）に磁石を設けペンを保持する部分（２）に磁石に吸い付く部材を設けても同じように機能するし、ペン（３）はペンのような形をした他の文房具や入力装置に替えても、同じように機能する。
【発明の効果】
【０００６】  ペンなどの筆記具は親指と人差し指と手の甲を使用して持つが、本発明においては持たなくても保持できる。このとき人指し指には本発明筆記具が付くが他の指は自由であるし、人指し指も指先は使えるから、キーボード操作や書類を扱うことは十分可能である。
筆記具を手に持っている状態から、人指し指につけた保持具に持たせるには親指だけの操作でできる。また保持具から筆器具を外して手に持つ操作も親指だけの操作でできるから、素早く快く作業することができる。
人差し指の親指側で手の甲側には保持具にペンが付いた状態の物があってもそれほど気にならないし、キーボード操作上や書類を扱う上でも邪魔になりにくい。
筆記具を持ったまま両手で書類を扱う人はたくさんいるがキーボードを操作できる人はほとんどいない。扱う人の器用性と訓練がなければ難しい。しかし本発明筆記具は誰でも筆記具を指に保持したままキーボードを扱うことができるし、訓練する必要も無くすぐに使える。
書類とコンピュータを同時に扱う場合、たとえばキーボードを操作しながらメモを取る時や小さな伝票をなん枚も記入する時、キーボードを両手で操作するには筆器具を手放し書類に記入のたびに筆器具を持ち直さなければならない。何度も手放し持ち直すことは煩わしい作業である。
筆記具を持ちもう片方でキーボードを操作すれば、利き手でない方の手でキーボードのキー全部を操作しなければならない。利き手でない手で多様な作業をすることは、時間がかかるしわずらわしい。しかし本発明筆記具を使用すれば煩わしさから開放されるし作業が簡単になる分能率も上がる。
【図面の簡単な説明】
【０００７】
【図１】  本発明の全体正面図
【図２】  本発明請求項１の正面図
【図３】  本発明請求項１の断面図
【図４】  本発明請求項１及び請求項２の正面図
【図５】  本発明請求項１及び請求項２のペン保持具正面図
【図６】  本発明請求項１及び請求項２のペン保持具断面図
【図７】  本発明請求項２のペン正面図
【図８】  本発明請求項１及び請求項３の全体正面図
【図９】  本発明請求項１及び請求項３のペン保持具正面図
【図１０】  本発明請求項１及び請求項３のペン保持具断面図
【符号の説明】
【０００８】（１）    人指し指に固定する部材
（２）    ペンを保持する部分
（３）    ペン
（４）    磁石
（５）    磁石に吸い付く部分
（６）    ペンを引っ掛ける部材
（７）    使用している状態のペン
（８）    人指し指
（９）    指を通す穴
（１０）  ペンを保持し引っ掛ける穴